(57)【要約】【課題】洗浄槽が筐体から引出し可能に設けられる食器洗い機において、内蓋から水が滴下してもケースによりコネクタに水が付着することを防止して絶縁性および安全性を向上するとともに、メンテナンスを容易にする。【解決手段】商用電源を供給する電源コード２２と、少なくとも、電源コード２２および洗浄ポンプ３等の電装部品のいずれかと制御部１５とを接続するコネクタ２３と、筐体１に固定されコネクタ２３を収容するケース２４と、を備え、筐体１は、その一部が脱着可能に構成される脱着部である裏蓋１６を備え、ケース２４は、一面にケース開口部２４ａを有し、脱着部である裏蓋１６が筐体１に装着されることによってケース開口部２４ａを閉塞される位置に配設される。【選択図】図６
2019208537.tif 000002
【特許請求の範囲】
【請求項１】
前面に前方開口部を有する筐体と、上面に上面開口部を有し被洗浄物を収容する洗浄槽と、前記筐体内に収容された前記洗浄槽の前記上面開口部を閉塞する内蓋と、給水弁を含み前記洗浄槽内に洗浄水を供給する給水部と、洗浄水を加圧する洗浄ポンプと、洗い工程およびすすぎ工程を含む洗浄運転を実行する制御部と、商用電源を供給する電源電線と、少なくとも、前記電源電線および電装部品のいずれかと前記制御部とを接続するコネクタと、前記筐体に固定され前記コネクタを収容するケースと、を備え、
前記筐体は、その一部が脱着可能に構成される脱着部を備え、
前記ケースは、一面にケース開口部を有し、前記脱着部が前記筐体に装着されることによって前記ケース開口部を閉塞される位置に配設される、
食器洗い機。
【請求項２】
前記筐体は金属材料で形成され、前記ケースは難燃材または不燃材で構成される、
請求項１記載の食器洗い機。
【請求項３】
前記給水弁は、前記脱着部が脱離されることによりメンテナンス可能な位置に配設される、
請求項１または２記載の食器洗い機。
【請求項４】
前記給水部に逆流を防止するエアブレーク装置が設けられ、前記エアブレーク装置は、前記脱着部が脱離されることによりメンテナンス可能な位置に配設される、
請求項１〜３のうちいずれか１項に記載の食器洗い機。
【請求項５】
前記ケースにノイズフィルター等の電気部品が格納される、
請求項１〜４のうちいずれか１項に記載の食器洗い機。
【発明の詳細な説明】
【技術分野】
【０００１】
本発明は、洗浄水を用いて食器などを洗浄する食器洗い機に関する。
【背景技術】
【０００２】
従来の食器洗い機を図８に示す。図８は、従来の食器洗い機の側面断面図である。図８に示すように、食器などの被洗浄物１０２を出し入れするための開口部１１６を有する洗浄槽１０１と、洗浄槽１０１内に設けられ被洗浄物１０２に洗浄水を噴射する洗浄ノズル１０７と、洗浄ノズル１０７に洗浄水を供給する洗浄ポンプ１０９とを備える。さらに、被洗浄物１０２を加熱する加熱手段１１２と、洗浄槽１０１内に空気を送る送風手段１１１と、開口部１１６を開閉する蓋体１０５と、少なくとも加熱手段１１２と送風手段１１１と洗浄ポンプ１０９とを制御する制御装置１１３と、制御装置１１３に影響を与えるノイズを低減する雑音防止器１２０とを備える。そして、雑音防止器１２０は、耐絶縁性と難燃性とを兼ね備えているシート１１９で覆うとともに、シート１１９と雑音防止器１２０とを板金加工部材１１５ａ、１１５ｂで覆う構成が開示されている（例えば、特許文献１参照）。
【０００３】
この構成により、ノイズ低減のため取付けた雑音防止器１２０が食器洗い機内の洗浄槽１０１外の限られた場所で配置し板金加工部材との距離が近くなった場合においても、雑音防止器１２０のコネクター端子１１７と板金加工部材１１５との間の絶縁性を確保することができる。さらに、限られた空間内にて不燃化構成を成り立たせる雑音防止器１２０との絶縁距離を保つために製品外形を大きくしたりする必要性をなくすことができる。
【０００４】
また、他の引き出し式の食器洗い機において、洗浄中にドアを開閉すると、洗浄中に中蓋に付着した水が、筐体背面と洗浄槽に接続された電源コードや各種ハーネスの接続コネクタ部に滴下するため、接続コネクタ部に難燃性のカバーをかぶせ、テープで止めて水の付着を防止している。
【先行技術文献】
【特許文献】
【０００５】
【特許文献１】特表２０１２−０００３５４号公報
【発明の概要】
【発明が解決しようとする課題】
【０００６】
しかしながら、従来の引き出し式食器洗い機の構成であると、メンテナンス時にカバーのテープ止めを解いた上で、コネクタを脱着する必要があり、作業性が悪いというに課題を有している。また、カバーのシールが不十分な場合には、接続コネクタ部に水が浸入する可能性があり、安全性が低下する課題を有している。
【０００７】
本発明は、前記従来の課題を解決するもので、内蓋から水が滴下してもケースによりコネクタに水が付着することを防止して絶縁性および安全性を向上し、また、ケース内のコネクタに容易にアクセスして抜き差し可能になり、メンテナンスが容易にできる食器洗い機を提供することを目的とする。
【課題を解決するための手段】
【０００８】
前記従来の課題を解決するために、本発明の食器洗い機は、前面に前方開口部を有する筐体と、上面に上面開口部を有し被洗浄物を収容する洗浄槽と、前記筐体内に収容された前記洗浄槽の前記上面開口部を閉塞する内蓋と、給水弁を含み前記洗浄槽内に洗浄水を供
給する給水部と、洗浄水を加圧する洗浄ポンプと、洗い工程およびすすぎ工程を含む洗浄運転を実行する制御部と、商用電源を供給する電源電線と、少なくとも、前記電源電線および電装部品のいずれかと前記制御部とを接続するコネクタと、前記筐体に固定され前記コネクタを収容するケースと、を備え、前記筐体は、その一部が脱着可能に構成される脱着部を備え、前記ケースは、一面にケース開口部を有し、前記脱着部が前記筐体に装着されることによって前記ケース開口部を閉塞される位置に配設される。
【０００９】
この構成によって、内蓋から水が滴下してもケースによりコネクタに水が付着することを防止して絶縁性および安全性を向上できる。また、脱着部が外されるだけでケース内のコネクタにアクセスして抜き差し可能になり、メンテナンスが容易になる。
【発明の効果】
【００１０】
本発明の食器洗い機は、洗浄槽が筐体内から引き出し可能に設けられる食器洗い機において、内蓋から水が滴下してもケースによりコネクタに水が付着することを防止して絶縁性および安全性を向上できる。また、脱着部が外されるだけでケース内のコネクタにアクセスして抜き差し可能になり、メンテナンスが容易になる。
【図面の簡単な説明】
【００１１】
【図１】本発明の実施の形態１における食器洗い機の側面断面模式図
【図２】図１に示す食器洗い機の状態から洗浄槽が引き出された状態の側面断面模式図
【図３】本実施の形態における食器洗い機の後面側斜視図
【図４】本実施の形態における食器洗い機の一部外郭を外した後面側斜視図
【図５】本実施の形態における食器洗い機の裏蓋を外した後面側斜視図
【図６】図５に示すＡ−Ａ断面図
【図７】本発明の他の実施の形態における食器洗い機の斜視図
【図８】従来の食器洗い機の側面断面図
【発明を実施するための形態】
【００１２】
第１の発明の食器洗い機は、
前面に前方開口部を有する筐体と、上面に上面開口部を有し被洗浄物を収容する洗浄槽と、前記筐体内に収容された前記洗浄槽の前記上面開口部を閉塞する内蓋と、給水弁を含み前記洗浄槽内に洗浄水を供給する給水部と、洗浄水を加圧する洗浄ポンプと、洗い工程およびすすぎ工程を含む洗浄運転を実行する制御部と、商用電源を供給する電源電線と、少なくとも、前記電源電線および電装部品のいずれかと前記制御部とを接続するコネクタと、前記筐体に固定され前記コネクタを収容するケースと、を備え、前記筐体は、その一部が脱着可能に構成される脱着部を備え、前記ケースは、一面にケース開口部を有し、前記脱着部が前記筐体に装着されることによって前記ケース開口部を閉塞される位置に配設される。
【００１３】
この構成によって、筐体内後部で内蓋から水が滴下してもケースによりコネクタに水が付着することを防止して絶縁性および安全性を向上できる。また、脱着部が外されるだけでケース内のコネクタにアクセスして抜き差し可能になり、メンテナンスが容易になる。
【００１４】
第２の発明は、特に、第１の発明において、
前記筐体は金属材料で形成され、前記ケースは難燃材または不燃材で構成される。この構成によって、筐体の裏蓋およびケースはいずれも発火することがなく、コネクタにショート等の不具合が生じて発火した場合においても延焼を防止することができ、安全性が向上する。
【００１５】
第３の発明は、第１または第２の発明において、
ケースにノイズフィルター等の電気部品を収納するように構成される。これにより、電気部品にショート等の不具合が生じて発火した場合でも延焼を防止することができ、安全性を向上できる。
【００１６】
第４の発明は、特に第１〜第３のいずれかの発明において、
前記給水弁は、前記脱着部が脱離されることによりメンテナンス可能な位置に配設される。この構成によって、給水弁に不具合が生じた場合でも、少ない工数でメンテナンスできる。
【００１７】
第５の発明は、特に第１〜４いずれかの発明において、
前記給水部に逆流を防止するエアブレーク装置がさらに設けられ、
前記エアブレーク装置は、前記脱着部が脱離されることによりメンテナンス可能な位置に配設される。これにより、エアブレーク装置に不具合が生じた場合でも、少ない工数でメンテナンスできる。
【００１８】
以下、本発明の実施の形態について、図面を参照しながら説明する。なお、この実施の形態によって本発明が限定されるものではない。
【００１９】
（実施の形態１）
図１は、本発明の実施の形態１における食器洗い機の側面断面模式図である。図１は、食器洗い機がシステムキッチンＳＫにビルトインされた状態を示す。図２は、図１に示す食器洗い機の状態から洗浄槽２が引き出された状態の側面断面模式図である。図３は、本実施の形態における食器洗い機の後面側斜視図である。図４は、本実施の形態における食器洗い機の一部外郭を外した後面側斜視図である。図４に示す食器洗い機は、左右側面と下面と後面の外郭が外されたものである。
【００２０】
本実施の形態の食器洗い機は、筐体１と、洗浄槽２と、洗浄ポンプ３と、給水部４と、扉体５などを含む。なお、以降の実施の形態において、図１に示すように、前方向は扉体５および洗浄槽２が引き出される方向、後方向は洗浄槽２が収納され扉体５が閉じられる方向として説明する。また、食器洗い機の設置側を下方、反対側を上方とし、さらに、扉体５の正面に向かって右側を右方、左側を左方として説明する。
【００２１】
筐体１は、前面に前面開口部１ａを有する。洗浄槽２は、内部に食器かご６と、洗浄ノズル７と、排水口８と、残さいフィルタ９などを含む。洗浄槽２は、筐体１の内部に前後方向に出し入れ可能に設けられる。洗浄槽２は、上面に上面開口部２ａを有する。上面開口部２ａは、洗浄槽２が筐体１内に収容されたときに、筐体１内に配設された内蓋１０で閉塞される。内蓋１０は、洗浄槽２の出し入れと連動してリンク機構１１により上下動する。上面開口部２ａの周縁部に変形可能な中空状のゴムチューブで形成されたシール部１２が設けられる。シール部１２は、洗浄槽２が筐体１内に収容された際に、下降する内蓋１０により圧縮されて上面開口部２ａが密閉される。
【００２２】
食器かご６は、食器などの被洗浄物Ｄが載置される。扉体５は、洗浄槽２の前部に設けられ、収納時に筐体１の前面を覆う。洗浄槽２の出し入れは、扉体５に設けられたハンドル５ａを把持して行われる。給水部４は、給水路４ａ、給水弁４ｂ、エアブレーク装置１７、給水ホース１８などを含む。給水路４ａは、図示しない水道管に接続される。給水弁４ｂは、筐体１内後部の給水路４ａに設けられる。給水弁４ｂは、開放により、洗浄水となる水道水を洗浄槽２に供給する。
【００２３】
エアブレーク装置１７は、洗浄槽２の後面外側に設置される。エアブレーク装置１７は
、水道管が負圧になった場合でも、洗浄槽２内の洗浄水が水道管に逆しないように構成される。給水ホース１８は、前後に移動する洗浄槽２とエアブレーク装置１７とを柔軟に連結する。給水ホース１８は、シリコーンゴムなどの柔軟な材料で形成される。筐体１の後面には大きな後面開口部１ｂが設けられる。この後面開口部１ｂを塞ぐ着脱可能な着脱部として裏蓋１６が設けられる。裏蓋１６が外されることにより、給水部４および排水部、後述する電装部品などのメンテナンスが可能になる。
【００２４】
洗浄ポンプ３は、洗浄槽２の底面外側に設けられる。洗浄ノズル７は、洗浄槽２の底面内側に設けられる。洗浄ポンプ３は、洗浄水を洗浄ノズル７に圧送する。洗浄ノズル７は、圧送された洗浄水の反力により回転しながら、食器かご６に載置された被洗浄物Ｄに向けて洗浄水を噴射する。つまり、洗浄ポンプ３は、洗浄槽２内に溜められた洗浄水を加圧して洗浄ノズル７に供給する。洗浄ノズル７から噴射された洗浄水は、被洗浄物に衝突して汚れを落とし、洗浄を行う。なお、洗浄水は、洗剤を含んで被洗浄物に噴射される洗浄液と、被洗浄物をすすぐためのすすぎ水とを含む。
【００２５】
排水口８は、洗浄槽２内の底部に設けられる。残さいフィルタ９は、排水口８に着脱自在に設けられ、被洗浄物から洗浄、除去された残さいを捕集する。ヒータ１３は、洗浄槽２内の底部に溜められる洗浄水中に没するように配設される。ヒータ１３は、洗い工程において、洗浄槽２内に溜められた洗浄水を加熱する。ヒータ１３は、乾燥工程において、洗浄槽２内の乾燥用空気を加熱する。洗浄槽２の底面外側に配設されたサーミスタ等の温度センサ１４は、洗浄槽２の温度を検知する。
【００２６】
洗浄ポンプ３は、吸い込み側が排水口８に連通され、残さいフィルタ９で残さいが除去された洗浄水を循環させる。さらに、洗浄ポンプ３は、循環時のモータの回転方向を反転させることにより排水ポンプとして機能し、洗浄槽２から洗浄水を排出する。なお、排水ポンプが独立して設けられてもよい。
【００２７】
排水部は、排水口８、排水ホース１９、排水路２０、排水ポンプなどを含む。排水路２０は、筐体１内後部の給水路４ａに並んで設けられる。排水ホース１９は、排水ポンプとして機能する洗浄ポンプ３の排出口と排水路２０とを柔軟に連結する。排水ホース１９は、シリコーンゴムなどの柔軟な材料で形成される。
【００２８】
給水ホース１８と排水ホース１９とは並行し、半円を描くように長めに設けられる。これら２本のホースは、洗浄槽２の前後の動きに追随できるように可動な支持部２１で支持される。支持部２１は、支持片２１ａと固定片２１ｂと支軸２１ｃとを有する。支持片２１ａは、給水ホース１８および排水ホース１９を保持する。固定片２１ｂは、筐体１に固定される。支軸２１ｃは、支持片２１ａが支軸２１ｃを中心に旋回可能となるように固定片２１ｂに連結する。支持部２１は、洗浄槽２が引き出されるとき、前方に旋回しながら給水ホース１８および排水ホース１９を送り出す。また、支持部２１は、洗浄槽２が収容されるとき、後方に旋回しながら給水ホース１８および排水ホース１９を無理に屈曲しないように所定位置に収容する。
【００２９】
これにより、支持部２１は、洗浄槽２が出し入れされるときに、給水ホース１８および排水ホース１９をスムーズな旋回で支持するとともに、給水ホース１８および排水ホース１９が他の部品と干渉したり無理に屈曲したりして、破損または閉塞するのを防ぐ。そして、給水ホース１８および排水ホース１９への負荷が抑制されるとともに、洗浄槽２がスムーズに出し入れされる。
【００３０】
なお、柔軟な給水ホース１８および柔軟な排水ホース１９は、必ずしも全体が柔軟である必要はなく、所定の部分でつぶれないように折り曲げまたは捻じりが可能で、折り畳め
るように構成されてもよい。
【００３１】
図４に示すように、エアブレーク装置１７と支持部２１とは、正面視で重ならないよう、上下および左右方向にずれた位置に設けられる。また、給水路４ａ、排水路２０、給水ホース１８および排水ホース１９も、エアブレーク装置１７の周囲を取り囲むように設けられる。これにより、洗浄槽２が収容されるときの洗浄槽２と筐体１の後面とのスペースは、これらの部品で奥行きサイズが最も大きな部品が収まるだけの空間が設けられればよい。したがって、必要な奥行き空間の寸法が小さくて済む。これにより、筐体１の奥行きサイズに対して洗浄槽２を前後方向に大きくすることができ、洗浄槽２の容積を大きくできる。
【００３２】
洗浄運転を実行する制御部１５は、扉体５の内側で洗浄槽２の前面外側に設けられている。制御部１５は、被洗浄物Ｄを洗う洗い工程、被洗浄物Ｄに付着した洗剤および残さいを流すすすぎ工程、および、被洗浄物Ｄを乾燥させる乾燥工程、を含み、これらの工程を逐次制御する。
【００３３】
次に、電装関連について説明する。図５は、本実施の形態における食器洗い機の裏蓋を外した後面側斜視図である。図６は、図５に示すＡ−Ａ断面図であり、ケース２４の側面断面図である。
【００３４】
商用電源を供給する電源コード２２が、筐体１の後面から引き込まれる。電源コード２２は、途中にコネクタ２３を介して制御部１５に接続される。コネクタ２３は、筐体１の後面内側に固定される樹脂材料で形成されたケース２４に収納される。また、制御部１５には、洗浄ポンプ３、給水弁４ｂ、ヒータ１３などの電装部品を制御するために、複数の電線をまとめたハーネス２５が接続される。ハーネス２５は、洗浄槽２の外側に沿って配設される。ハーネス２５は、洗浄槽２と筐体１の後面との間においては、給水ホース１８および排水ホース１９とともにまとめられ、支持部２１に支持されるように配設される。
【００３５】
ケース２４は、難燃性の樹脂材料を用いて、一面にケース開口部２４ａを有する箱形状に成形される。難燃性の樹脂材料としては、臭素系、リン系といった添加剤を混ぜた、アクリルニトリルブタジエンスチレン（ＡＢＳ）、ポリエチレンテレフタレート（ＰＥＴ）、ポリフェニレンサルファイド（ＰＰＳ）等のエンジニアリングプラスチックを用いることができる。また、ケース２４の上面２４ｂから側面にわたってリブ２４ｃが形成される。
【００３６】
ケース２４は、筐体１の後面開口部１ｂの上方で内側に凹むように成型される段押し部１ｃに、ケース開口部２４ａが後方を向くようにし、リブ２４ｃを当接させて固定される。ケース２４の下面には、電源コード２２やハーネス２５が通る通し孔２４ｄが設けられる。ケース開口部２４ａは後方を向いているので、裏蓋１６が外されれば、電源コード２２やハーネス２５のコネクタ２３に後方からアクセスして抜き差し可能になる。これにより、メンテナンスが容易になる。
【００３７】
裏蓋１６は、後面開口部１ｂを塞ぐとともに、段押し部１ｃまで覆うように形成される。このとき、ケース開口部２４ａは、裏蓋１６に当接し、裏蓋１６によって閉塞される。この構成によって、ケース２４は、全面が難燃性の樹脂材料および不燃性の鋼板によって囲まれる。これにより、裏蓋１６およびケース２４はいずれも発火することがなく、万一、コネクタ２３にショート等の不具合が生じて発火した場合においても延焼を防止することができ、安全性が向上する。また、ケース２４にはノイズフィルター等の電気部品を収納するように構成することもできる。これにより、万一、電気部品にショート等の不具合が生じて発火した場合でも延焼を防止することができ、安全性が向上する。
【００３８】
さらに、食器洗い機は、洗浄中に一時停止して洗浄槽２が引き出されることがある。このとき、食器洗い機が振動し、リンク機構１１により筐体１内の上部で保持される内蓋１０から後部の空間に洗浄水が滴下したり、滴下した洗浄水が筐体１の後面を伝って流れ落ちたりるする場合がある。しかしながら、上記したケース２４の構成により、ケース２４がこれらの洗浄水の浸入を防止する。また、ケース２４の下面に通し孔２４ｄが設けられることで、電源コード２２およびハーネス２５を伝う洗浄水は遮断され、ケース２４内への洗浄水の侵入が防止される。これにより、洗浄水がケース２４内のコネクタ２３および電気部品に付着することを防止して絶縁性および安全性を向上できる。
【００３９】
なお、裏蓋１６が塞ぐ後面開口部１ｂは、筐体１の後面の中段に大きく形成される。給水部４の給水弁４ｂは、裏蓋１６が外されることによりメンテナンス可能な位置に配設される。この構成によって、給水弁４ｂに不具合が生じた場合でも、少ない工数でメンテナンスできる。
【００４０】
さらに、エアブレーク装置１７は、洗浄槽２の後面外側に設けられ、裏蓋１６が外されることによりメンテナンス可能な位置に配設される。これにより、エアブレーク装置１７に不具合が生じた場合でも、少ない工数でメンテナンスできる。
【００４１】
以上のように、本実施の形態の食器洗い機は、前面に前面開口部１ａを有する筐体１と、上面に上面開口部２ａを有し被洗浄物Ｄを収容する洗浄槽２と、筐体１内に収容された洗浄槽の上面開口部２ａを閉塞する内蓋１０と、給水弁４ｂを含み洗浄槽２内に洗浄水を供給する給水部４と、洗浄水を加圧する洗浄ポンプ３と、洗い工程およびすすぎ工程を含む洗浄運転を実行する制御部１５と、商用電源を供給する電源コード２２と、少なくとも、電源コード２２および洗浄ポンプ３等の電装部品のいずれかと制御部１５とを接続するコネクタ２３と、筐体１に固定されコネクタ２３を収容するケース２４と、を備え、筐体１は、その一部が脱着可能に構成される脱着部である裏蓋１６を備え、ケース２４は、一面にケース開口部２４ａを有し、脱着部である裏蓋１６が筐体１に装着されることによってケース開口部２４ａを閉塞される位置に配設される。
【００４２】
この構成によって、筐体１内後部で内蓋１０から水が滴下しても、ケース２４によりコネクタ２３に水が付着することを防止して絶縁性および安全性を向上できる。また、脱着部である裏蓋１６が外されるだけでケース２４内のコネクタ２３にアクセスして抜き差し可能になり、メンテナンスが容易になる。
【００４３】
また、本実施の形態の食器洗い機においては、洗浄槽２が引き出し式の構成で説明したが、これに限られない。例えば、図７に示すような引き出し式の食器洗い機でも適用できる。図７において、筐体７１の内部に洗浄槽７２が構成される。扉体７３は、支持レール７４によって支えられ、前後にスライドして洗浄槽７２の前面開口部７２ａを開閉する。食器かご７５はかごレール７６によって支えられ、扉体７３に係止されて前後にスライドする。
【産業上の利用可能性】
【００４４】
以上のように、本発明にかかる食器洗い機は、筐体内後部で内蓋から水が滴下してもケースによりコネクタに水が付着することを防止して絶縁性および安全性を向上できる。また、脱着部が外されるだけでケース内のコネクタにアクセスして抜き差し可能になり、メンテナンスが容易になるので、家庭用などの食器洗い機として有用である。
【符号の説明】
【００４５】
１  筐体
１ａ  前面開口部
１ｂ  後面開口部
１ｃ  段押し部
２  洗浄槽
２ａ  上面開口部
３  洗浄ポンプ
４  給水部
４ａ  給水路
４ｂ  給水弁
５  扉体
６  食器かご
７  洗浄ノズル
８  排水口
９  残さいフィルタ
１０  内蓋
１１  リンク機構
１２  シール部
１３  ヒータ
１４  温度センサ
１５  制御部
１６  裏蓋
１７  エアブレーク装置
１８  給水ホース
１９  排水ホース
２０  排水路
２１支持部
２２  電源コード
２３  コネクタ
２４  ケース
２４ａ  ケース開口部
２４ｂ  上面
２４ｃ  リブ
２４ｄ  通し孔
７１  筐体
７２  洗浄槽
７２ａ  前面開口部
７３  扉体
７４  支持レール
７５  食器かご
７６  かごレール
Ｄ  被洗浄物
ＳＫ  システムキッチン
【図１】
2019208537.tif 000003
【図２】
2019208537.tif 000004
【図３】
2019208537.tif 000005
【図４】
2019208537.tif 000006
【図５】
2019208537.tif 000007
【図６】
2019208537.tif 000008
【図７】
2019208537.tif 000009
【図８】
2019208537.tif 000010